【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
画像処理装置とクライアントと表示処理サービス用サーバとを備え、少なくとも前記クライアントが前記画像処理装置と前記表示処理サービス用サーバとに通信可能に接続される画像処理システムであって、
前記画像処理装置は、前記クライアントからの操作要求を受信すると、該受信した操作要求に対応する処理を行う処理手段と、前記操作要求に対する応答として、前記表示処理サービス用サーバにアクセスするように指示するためのリダイレクト指示を、前記クライアントに送信する送信手段とを含み、
前記クライアントは、前記画像処理装置からのリダイレクト指示を受信すると、該受信したリダイレクト指示に従って前記表示処理サービス用サーバにアクセスするアクセス手段を含み、
前記表示処理サービス用サーバは、前記クライアントからのリダイレクト指示に従ったアクセスがあると、表示用情報を前記クライアントに送信する送信手段を含むことを特徴とする画像処理システム。
【請求項２】
前記リダイレクト指示は、前記画像処理装置が受信した操作要求に対応する処理の結果を含むことを特徴とする請求項１記載の画像処理システム。
【請求項３】
前記表示処理サービス用サーバは、複数の表示用情報を記憶する表示用情報記憶手段を含み、前記リダイレクト指示に含まれる前記画像処理装置が受信した操作要求に対応する処理の結果に応じた表示用情報を前記記憶手段から読み出し、前記クライアントに送信することを特徴とする請求項２記載の画像処理システム。
【請求項４】
前記画像処理装置は、前記表示処理サービス用サーバのアドレス情報を記憶するアドレス情報記憶手段を含み、前記リダイレクト指示は、前記アドレス情報記憶手段に記憶されたアドレス情報を含む指示であることを特徴とする請求項１記載の画像処理システム。
【請求項５】
前記クライアントは、前記画像処理装置に操作要求を行う際に、該操作要求とともに前記表示処理サービス用サーバのアドレス情報を送信することが可能であり、前記画像処理装置は、前記クライアントから操作要求とともに送信されたアドレス情報を受信すると、該受信したアドレス情報を含むリダイレクト指示を前記クライアントへ送信することを特徴とする請求項１記載の画像処理システム。
【請求項６】
前記画像処理装置は、前記クライアントの操作要求に応じた表示用画面情報を記憶する表示用画面情報記憶手段を含み、前記クライアントからの操作要求を受信した際に、前記表示処理サービス用サーバのアドレス情報を受信しなかった場合、リダイレクト指示に代えて、前記表示用画面情報記憶手段に記憶されている前記クライアントの操作要求に応じた表示用画面情報を前記クライアントに送信することを特徴とする請求項５記載の画像処理システム。
【請求項７】
画像処理装置とクライアントと表示処理サービス用サーバとを備え、少なくとも前記クライアントが前記画像処理装置と前記表示処理サービス用サーバとに通信可能に接続される画像処理システムの制御方法であって、
前記画像処理装置は、前記クライアントからの操作要求を受信すると、該受信した操作要求に対応する処理を行い、前記操作要求に対する応答として、前記表示処理サービス用サーバにアクセスするように指示するためのリダイレクト指示を、前記クライアントに送信し、
前記クライアントは、前記画像処理装置からのリダイレクト指示を受信すると、該受信したリダイレクト指示に従って前記表示処理サービス用サーバにアクセスし、
前記表示処理サービス用サーバは、前記クライアントからのリダイレクト指示に従ったアクセスがあると、表示用情報を前記クライアントに送信することを特徴とする制御方法。
【請求項８】
前記リダイレクト指示は、前記画像処理装置が受信した操作要求に対応する処理の結果を含むことを特徴とする請求項７記載の制御方法。
【請求項９】
前記表示処理サービス用サーバは、複数の表示用情報を記憶する表示用情報記憶手段を含み、前記リダイレクト指示に含まれる前記画像処理装置が受信した操作要求に対応する処理の結果に応じた表示用情報を前記記憶手段から読み出し、前記クライアントに送信することを特徴とする請求項８記載の制御方法。
【請求項１０】
前記画像処理装置は、前記表示処理サービス用サーバのアドレス情報を記憶するアドレス情報記憶手段を含み、前記リダイレクト指示は、前記アドレス情報記憶手段に記憶されたアドレス情報を含む指示であることを特徴とする請求項７記載の制御方法。
【請求項１１】
前記クライアントは、前記画像処理装置に操作要求を行う際に、該操作要求とともに前記表示処理サービス用サーバのアドレス情報を送信することが可能であり、前記画像処理装置は、前記クライアントから操作要求とともに送信されたアドレス情報を受信すると、該受信したアドレス情報を含むリダイレクト指示を前記クライアントへ送信することを特徴とする請求項７記載の制御方法。
【請求項１２】
前記画像処理装置は、前記クライアントの操作要求に応じた表示用画面情報を記憶する表示用画面情報記憶手段を含み、前記クライアントからの操作要求を受信した際に、前記表示処理サービス用サーバのアドレス情報を受信しなかった場合、リダイレクト指示に代えて、前記表示用画面情報記憶手段に記憶されている前記クライアントの操作要求に応じた表示用画面情報を前記クライアントに送信することを特徴とする請求項１１記載の制御方法。
【請求項１３】
表示処理サービス用サーバと通信可能なクライアントと通信可能に接続される画像処理装置であって、
前記クライアントからの操作要求を受信すると、該受信した操作要求に対応する処理を行う処理手段と、
前記操作要求に対する応答として、前記表示処理サービス用サーバにアクセスするように指示するためのリダイレクト指示を前記クライアントに送信する送信手段と
を備えることを特徴とする画像処理装置。
【請求項１４】
表示処理サービス用サーバと通信可能なクライアントと通信可能に接続され、前記クライアントから受信した操作要求に対応する処理を行う画像処理装置上で実行されるプログラムであって、
前記クライアントから受信した操作要求に対する応答として、前記表示処理サービス用サーバにアクセスするように指示するためのリダイレクト指示を前記クライアントに送信するように制御することを特徴とするプログラム。
【請求項１５】
請求項１４記載のプログラムをコンピュータ読取可能に格納したことを特徴とする記憶媒体。
【手続補正２】
【補正対象書類名】明細書
【補正対象項目名】発明の名称
【補正方法】変更
【補正の内容】
【発明の名称】画像処理システム、制御方法、画像処理装置、プログラムおよび記憶媒体
【手続補正３】
【補正対象書類名】明細書
【補正対象項目名】０００１
【補正方法】変更
【補正の内容】
【０００１】
本発明は、画像処理装置と、クライアントと、表示処理サービス用サーバとがネットワークに接続される画像処理システム、その制御方法、画像処理装置、プログラムおよび記憶媒体に関する。
【手続補正４】
【補正対象書類名】明細書
【補正対象項目名】０００８
【補正方法】変更
【補正の内容】
【０００８】
本発明の目的は、ユーザの使用形態や好みなどに応じて、クライアントコンピュータ上に表示するユーザインタフェイスを容易にカスタマイズすることができる画像処理システム、制御方法、画像処理装置、プログラムおよび記憶媒体を提供することにある。
【手続補正５】
【補正対象書類名】明細書
【補正対象項目名】００１０
【補正方法】変更
【補正の内容】
【００１０】
本発明は、上記目的を達成するため、画像処理装置とクライアントと表示処理サービス用サーバとを備え、少なくとも前記クライアントが前記画像処理装置と前記表示処理用サーバと通信可能に接続される画像処理システムの制御方法であって、前記画像処理装置は、前記クライアントからの操作要求を受信すると、該受信した操作要求に対応する処理を行い、前記操作要求に対する応答として、前記表示処理サービス用サーバにアクセスするように指示するためのリダイレクト指示を、前記クライアントに送信し、前記クライアントは、前記画像処理装置からのリダイレクト指示を受信すると、該受信したリダイレクト指示に従って前記表示処理サービス用サーバにアクセスし、前記表示処理サービス用サーバは、前記クライアントからのリダイレクト指示に従ったアクセスがあると、表示用情報を前記クライアントに送信することを特徴とする。
【手続補正６】
【補正対象書類名】明細書
【補正対象項目名】００４５
【補正方法】変更
【補正の内容】
【００４５】
次に、画像処理装置１０１、ウェブクライアント１２０、表示処理サービス用ウェブサーバ１１０のそれぞれの動作について図８〜図１０を参照しながら説明する。図８は図１のウェブクライアント１２０の動作手順を示すフローチャート、図９は図１の画像処理装置１０１の動作手順を示すフローチャート、図１０は図１の表示処理サービス用ウェブサーバ１１０の動作手順を示すフローチャートである。
【手続補正７】
【補正対象書類名】明細書
【補正対象項目名】００７１
【補正方法】変更
【補正の内容】
【００７１】
【図１】本発明の第１の実施の形態に係る画像処理装置を含むシステムの構成例を示すブロック図である。
【図２】図１の画像処理装置１０１の制御部１０４の構成を示すブロック図である。
【図３】図１の画像処理システムにおける処理の流れを模式的に示す図である。
【図４】図１の画像処理装置１０１の操作部１０８に表示される表示処理サービス用ウェブサーバＵＲＬの設定画面の一例を示す図である。
【図５】図１の画像処理装置１０１の記憶部１０５に保持されている、ウェブクライアント１２０から要求された処理と表示処理用転送先とを対応付けたテーブルの一例を示す図である。
【図６】プリント処理要求が正常に終了した場合にウェブクライアント１２０に表示される画面の一例を示す図である。
【図７】プリント処理要求が正常に終了しなかった場合にウェブクライアント１２０に表示される画面の一例を示す図である。
【図８】図１のウェブクライアント１２０の動作手順を示すフローチャートである。
【図９】図１の画像処理装置１０１の動作手順を示すフローチャートである。
【図１０】図１の表示処理サービス用ウェブサーバ１１０の動作手順を示すフローチャートである。
【図１１】本発明の第２の実施の形態に係る画像処理システムのウェブクライアント１２０の動作手順を示すフローチャートである。
【図１２】本発明の第２の実施の形態に係る画像処理システムの画像処理装置１０１の動作手順を示すフローチャートである。
【手続補正８】
【補正対象書類名】図面
【補正対象項目名】図５
【補正方法】変更
【補正の内容】
【図５】
2005157552.tif 000001